(57)【要約】【目的】この発明は、ホワイトボード等で使用されるマーカーペンにおいて、使用する場合に常に鮮明に線が描ける状態を、提供することを目的とする。従来使い捨てだったマーカーペンをリサイクルし、ランニングコストと、廃棄物の排出量を大幅に削減することを目的とする。【構成】マーカーペンを差し込む穴と、インクを充填する空間部分と、インクを補充するための注入口から構成されるマーカーペンホルダー及び、インクの無くなった使用済みのマーカーペンもしくはインクの充填されていない新品のマーカーペンで構成される。このインクが充填されたマーカーペンホルダーに、マーカーペンをセットすることにより、常にマーカーペンにインクが充填された状態にする。【選択図】図２−ｃ
2004017648.tif 000002
【特許請求の範囲】
【請求項１】
使用していない状態のマーカーペンをマーカーペン用のインクが満たされたホルダーにセットすることにより、常にインクがペンに補充された状態にすることを特徴とする。
【請求項２】
ホルダー内のインクが不足してきた場合には容易にインクを補充することが出来るよう、インクの注入口を有することを特徴とするマーカーペンのホルダー。
【請求項３】
マーカーペンホルダーは、ペンを保持した状態ではインクが蒸発しない様に、密閉されていることを特徴とする。
【請求項４】
付属、もしくは別売のインクの充填されていない、新品のマーカーペンを、任意の色のインクを充填したホルダーにセットすることにより、使用者自身が使いたい色の新品のマーカーペンを自由に用意することが出来る事を特徴とする。
【請求項５】
付属品、もしくは別売品として用意されるインクの充填されていない、新品のマーカーペン
【発明の詳細な説明】
【０００１】
【産業上の利用分野】
ホワイトボード等に文字或いは図を描くために使用されるマーカーペンにおいて、使用したい時に常に鮮明な線が描く事が出来る方法を提供する。
【０００２】
【従来の技術】
従来、図１−ａの様にホワイトボード等に文字等を書くためにマーカーペンが使用されている。このマーカーペンは使用しない状態では、キャップをした状態で保管されていた。しかし、図１−ｂのようにこのキャップをし忘れると、中のインクは揮発性なので、蒸発しすぐに書けなくなる問題があった。
常に鮮明な線を描こうとすると、マーカーペンを頻繁に廃棄し、常に新しい状態のペンを使用する必要があり、更新のためのコストが非常に高価なものとなっていた。
また、インクが無くなりかすれてきたペンはキャップをしてボードのそばに使えるペンと一緒に放置されるケースが多々あり、その場合、次に使おうとした人はどのペンが使用できるか識別するために、ひとつづつ試し書きをする等の煩雑で無駄な作業を行っていたのが実態である。
また、特定の色のマーカーペンがインク切れ等で使えなくなった場合、同色の予備のペンが無い場合は、他の色を使用せざるを得なかった。これにより、ボード上に描かれたものは、途中から別の色になってしまい、非常に見にくいという問題があった。
また、各色を買い置きしようとしても、色毎にその使用頻度が異なり、補充のための必要数を予測することが困難で、無駄な在庫を持つことにもなっていた。
【０００３】
【発明が解決しようとする課題点】
マーカーペンを廃棄することなしに、常にインクが充填された状態に維持することにより、常時鮮明な線がボード上に描ける環境を安価に提供する。
また、何らかの理由で特定のマーカーペンが使用できなくなった場合でも、同じ色のペンを買い置きすること無しに、代替のペンを簡単に用意する方法を提供する。
【０００４】
【課題を解決するための手段】
図２−ａの様にマーカーペンのインクが貯蔵できる構造のペンホルダー８を設ける。このホルダーの内部は空洞の場合や、ペンを抜き差しした場合にインクのしずくが滴下しない様にスポンジ、綿等が詰められている場合もある。
また，ホルダー内のインクの残量が確認できる透明樹脂性の小窓１５がホルダー壁面に設置されている場合も有る。
これらのペンホルダーはマーカーペン６を図２−ｂの様に差し込むことにより保持できる構造となっている。
また、このペンホルダー８にはインクを補充するための、インク注入口７が設けられている。
ホルダー内のインクが無くなった場合には、この注入口７から図２−ｃの様にインクを補充できる構造になっている。
またこのホルダーはマーカーペンを差込み、インク注入口にキャップをすることにより、密閉されインクの蒸発が防止できる構造となっている。
また、インク切れ以外の理由で使用できなくなったマーカーペンの代替品として、インクが充填されていない新品状態のマーカーペンをペンホルダーに付帯させておく場合も有る。
【０００５】
【作用】
使用済みのマーカーペンは、キャップをする代わりに、図２−ｂの様にペンホルダー８に差し込まれる。差し込まれたマーカーペン６の先端部分のフェルトはペンホルダー内部に充填されているインクに接触し、図２−ｃの１４に示すように毛細管現象によりマーカーペンの軸内部に自動的にインクを吸い上げる。
この作用により、マーカーペンは使用していない時には、常にインクが充填された状態で保持され、使用する場合には常に鮮明な線が描ける状態が維持される。また、マーカーペン自身が破損し、使用できなくなった場合には、所望するインク色のホルダーに、インクが充填されていない新品のペンをセットする事により、任意の色のマーカーペンをその場で用意できる。
【０００６】
【実施例】
本ホルダーの使用実施例としては以下の様な物が有る。
１；ホワイトボード、或いはその近傍に本マーカーペンホルダーを設置し（図２−ｄ）、使用したい時に常に鮮明な線が描ける環境を提供する。
２；特定の場所に設置し、インク切れとなったマーカーペンをその場所に集め、本マーカーペンホルダーにセットすることにより鮮明な線が描けるペンに再生する。
３；インクの入っていない新品のマーカーペンを本マーカーペンホルダーにセットすることにより、任意の色のマーカーペンを作成する。このペンの軸を透明樹脂製とすれば、インクの色が透けて見えて、何色かを確認することが容易に出来る。また軸が透明でない場合には、それぞれのインクと同じ色のシールを新品のマーカーペンの見やすい部分に貼り付けることにより、色を識別する方法も可能である。
【０００７】
【発明の効果】
１；マーカーペンホルダーにセットされているマーカーペンは常にインクが補充されている状態なので、常に鮮明な文字等が描くことが出来る。
２；ホルダーにセットされているペンは常に使える状態なので、使えるペンを捜すための試し書き等をする手間が完全に省ける。
３；従来は使い捨てだったマーカーペンを何度もインクを補充して使用するため、低コストで、かつ有害な樹脂系の廃棄物の排出量を大幅に削減できる。
４；従来は補充用として、色別にマーカーペンを大量に買い置きする必要があったが、本ホルダーを使用することにより、インクの入っていない新品のマーカーペンをわずか数本用意しておくだけでいいので、在庫経費を大幅に削減できる。
【図面の簡単な説明】
【図１】従来のマーカーペンの使用方法
図１−ａはホワイトボードにマーカーペンで線を描いたところ
図１−ｂはキャップがはずれた状態のマーカーペン
【図２】マーカーペンホルダーの模式図
図２−ａはマーカーペンホルダーの断面図
図２−ｂはマーカーペンホルダーの立体図
図２−ｃはマーカーペンホルダーにインクを補充しているところ
図２−ｄはマーカーペンホルダーをホワイトボードに設置したところ
【符号の説明】
１はホワイトボード上にマーカーペンによって描かれた線
２はマーカーペン
３はホワイトボード
４はマーカーペンのキャップ
５はマーカーペン本体
６はマーカーペン本体がペンホルダーにセットされたところ
７はインク注入口のキャップ
８はマーカーペンホルダー本体
９はマーカーペンの差込み口
１０は補充されているマーカーペン用のインク
１１は補充用のインクボトル
１２は補充用のインク
１３はホワイトボードにマーカーペンホルダーを設置したところ
１４は毛細管現象によってインクがマーカーペンに補充されるところ
１５はマーカーペンホルダーのインク残量確認用小窓
【図１】
2004017648.tif 000003
【図２−ａ】
2004017648.tif 000004
【図２−ｂ】
2004017648.tif 000005
【図２−ｃ】
2004017648.tif 000006
【図２−ｄ】
2004017648.tif 000007